【手続補正書】
【提出日】平成26年8月12日(2014.8.12)
【手続補正１】
【補正対象書類名】特許請求の範囲
【補正対象項目名】全文
【補正方法】変更
【補正の内容】
【特許請求の範囲】
【請求項１】
呼吸治療器具による加湿ガスの呼吸可能な供給に起因する導管レインアウトを低減させる装置において、
入口開口および出口開口を有する呼吸可能なガス導管であって、前記入口開口と前記出口開口との間で加湿ガスを移動させるための通路として構成されている呼吸可能なガス導管と、
前記入口開口と前記出口開口との間の大気アクセスポートと、
前記ガス導管の前記入口開口と前記出口開口との間の前記通路内の蒸気バリアであって、蒸気が前記入口開口から前記出口開口に通ることを選択的に可能にし、または阻止するように操作可能になっている、蒸気バリアと、
を備え、
前記大気アクセスポートは、前記蒸気バリアが蒸気を前記出口開口に通ることを選択的に阻止するとき、大気と前記出口開口との間の連通を可能にするように構成されていることを特徴とする、装置。
【請求項２】
前記蒸気バリアは、初期位置にあるとき、蒸気が前記入口開口から前記出口開口に通ることを阻止するために、前記通路を封止するように構成されていることを特徴とする、請求項１に記載の装置。
【請求項３】
前記蒸気バリアは、前記出口開口の圧力を超える空気圧が前記入口開口に加えられることによって開き、蒸気が前記入口開口から前記出口開口に通ることを可能にするように構成されていることを特徴とする、請求項１または２に記載の装置。
【請求項４】
前記蒸気バリアは、前記入口開口の圧力を超えるかまたは該圧力と等しい空気圧が前記出口開口に加えられることによって閉じ、蒸気が前記出口開口から前記入口開口に通ることを阻止するように構成されていることを特徴とする、請求項１〜３のいずれか一項に記載の装置。
【請求項５】
前記蒸気バリアは、弁フラップ、ベローズ、ダックビル弁、又は開口カバーおよび付勢部材の組み合わせから構成されていることを特徴とする、請求項１〜４のいずれか一項に記載の装置。
【請求項６】
前記弁フラップは、柔軟な弾性材料から形成されていることを特徴とする、請求項５に記載の装置。
【請求項７】
前記蒸気バリアは、前記蒸気バリアの片側から、前記蒸気バリアの反対側に存在する圧力変化を検出するように構成されていることを特徴とする、請求項１〜６のいずれか一項に記載の装置。
【請求項８】
前記蒸気バリアは、蒸気が前記入口開口から前記出口開口に通ることを可能にするとき、前記大気アクセスポートを遮蔽するように、さらに構成されていることを特徴とする、請求項１〜７のいずれか一項に記載の装置。
【請求項９】
前記ガス導管は、前記入口開口において、加湿器の出口に対する連結具として構成されていることを特徴とする、請求項１〜８のいずれか一項に記載の装置。
【請求項１０】
前記ガス導管は、加湿器の一体化構成要素を備えていることを特徴とする、請求項１〜８のいずれか一項に記載の装置。
【請求項１１】
前記ガス導管は、前記出口開口において、患者インターフェイスの導管に対する連結具として構成されていることを特徴とする、請求項１〜８のいずれか一項に記載の装置。
【請求項１２】
前記蒸気バリアに連結された拡張可能なチャンバをさらに備えており、前記拡張可能なチャンバは、前記蒸気バリアが患者呼気中に開くことを可能にするように構成されていることを特徴とする、請求項１〜１１のいずれか一項に記載の装置。
【請求項１３】
加湿器の出口を調整可能に塞ぐように構成された弁装置において、
前記加湿器出口に連結されるように構成された第１の側と、
導管に連結されるように構成された第２の側と、
前記第１の側と前記第２の側との間に設けられている大気への開口と、
前記第１の側と前記第２の側との間に配置されており、第１の位置と第２の位置との間で移動するように構成されている遮断部材と、
を備えており、
前記弁を通って加えられる力が存在しないとき、前記遮断部材は、前記第１の位置にあり、前記第１の側から前記第２の側へのアクセスを塞ぐようになっており、前記弁を通って加えられる力が存在するとき、前記遮断部材は、第２の位置に移動し、前記第１の側から前記第２の側へのアクセスを可能にするように構成されており、
前記開口は、前記第１の側から前記第２の側へのアクセスが塞がれているとき、大気と前記第２の側との間の連通を可能にするように構成されていることを特徴とする、弁装置。
【請求項１４】
前記力は、加圧ガス流であることを特徴とする、請求項１３に記載の弁装置。
【請求項１５】
前記遮断部材は、薄膜、フラップ、又はダックビル弁であることを特徴とする、請求項１３または１４に記載の弁装置。
【請求項１６】
前記フラップは、シリコーンフラップであることを特徴とする、請求項１５に記載の弁装置。
【請求項１７】
前記遮断部材は、バネ作用によって、前記第１の位置と前記第２の位置との間で移動するようになっていることを特徴とする、請求項１３または１４に記載の弁装置。
【請求項１８】
前記第２の側内への補助ガスの接続を可能にするように構成された補助ガス供給ポートをさらに備えていることを特徴とする、請求項１３〜１７のいずれか一項に記載の弁装置。
【請求項１９】
前記補助ガスは、酸素であることを特徴とする、請求項１８に記載の弁装置。
【請求項２０】
前記開口は、前記遮断部材が前記第１の位置にあるときに大気に開き、前記遮断部材が前記第２の位置にあるときに閉じるように構成されていることを特徴とする、請求項１３〜１９のいずれか一項に記載の弁装置。
【請求項２１】
前記遮断部材は、前記第２の位置にあるときに前記開口を塞ぐように構成されていることを特徴とする、請求項２０に記載の弁装置。
【請求項２２】
加湿器をさらに備えており、前記加湿器は、入口および出口を備えており、前記弁は、前記出口に連結されていることを特徴とする、請求項１３〜２１のいずれか一項に記載の弁装置。
【請求項２３】
前記弁装置は、前記加湿器の前記出口内に一体化されていることを特徴とする、請求項２２に記載の弁装置。
【請求項２４】
前記遮断部材に連結された拡張可能なチャンバをさらに備えており、前記拡張可能なチャンバは、患者呼気中に前記遮断部材が開くことを可能にするように構成されていることを特徴とする、請求項１３〜２３のいずれか一項に記載の弁装置。
【請求項２５】
請求項１３〜２１及び２４のいずれか一項に記載の弁装置を有する加湿器であって、前記弁装置は、前記加湿器を通る加圧流が存在しないとき、加湿ガスが前記加湿器から流出することを阻止するために、前記加湿器出口に連結されている、加湿器。
【請求項２６】
呼吸ＰＡＰ装置であって、加湿器に連結された流れ発生器と、前記加湿器の出口に第１の端において連結されており、患者インターフェイスに対向端において連結されている空気送達導管とを備えている呼吸ＰＡＰ装置において、
前記加湿器の出口を調整可能に塞ぐように構成された請求項１３〜２１及び２４のいずれか一項に記載の弁装置をさらに備えていることを特徴とする、呼吸ＰＡＰ装置。
【請求項２７】
呼吸治療器具の加湿ガス用の導管内のレインアウトを低減させる方法において、
遮断部材を移動させることであって、前記遮断部材は、加湿器の出口に適した弁装置の移動可能な構成要素であり、前記加湿器は、前記出口に連結された導管を有しており、前記加湿器は、使用時に前記導管に加湿ガスの供給をもたらすように構成されていることと、
呼吸治療器具の制御装置によって、前記遮断部材の移動を制御する力を生じさせることであって、
前記力が存在しないとき、大気への開口と前記導管との間の連通は塞がれておらず、前記遮断部材は、加湿ガスが前記導管内に通らないようにし、それに続く前記導管内のレインアウトを生じさせないようにするために、前記加湿器の前記出口を通って前記導管に向かう経路を塞ぐように構成されており、
前記力が存在するとき、前記遮断部材は、前記加湿ガスが前記導管内を流れることを可能にするために、前記加湿器の前記出口を通って前記導管に向かう経路を露出させるべく移動するように構成されていることと
を含んでいることを特徴とする、方法。
【請求項２８】
前記大気への開口と前記導管との間の前記連通は、前記力が存在するとき、塞がれるようになっていることを特徴とする、請求項２７に記載の方法。
【請求項２９】
前記遮断部材は、前記開口を塞ぐことと前記出口を通る前記経路を塞ぐこととの間で移動するように構成されていることを特徴とする、請求項２７または２８に記載の方法。
【請求項３０】
前記力は、前記加湿器を通って前記出口に向かう加圧ガス流によって、もたらされるようになっており、前記加圧ガスは、前記加湿器に連結された流れ発生器によってもたらされるようになっていることを特徴とする、請求項２７〜２９のいずれか一項に記載の方法。